(57)【要約】【課題】簡単な操作で巻回された任意の紐体の所望長さの供給を可能とし、かつ、紐体を取扱い易い状態で供給可能なこと。【解決手段】巻紐用ディスペンサ１は、紐体ｔが円筒状または球状に巻回されてなる紐巻体Ｔを収容する容器本体１０の端部に対し、回動自在に摺動する円盤状の回動蓋体２０を設け、また、紐体ｔが巻付けられる回動蓋体２０の外周側壁面の周長に対応した目盛２２を回動蓋体２０の周囲に付し、回動蓋体２０の外周側壁面側に始端固定部３０を設け、更に、回動蓋体２０が取付けられる容器本体１０の一端部に、径方向に突出したガイド部４０の側壁部４１を設けている。【選択図】図７
2018150128.tif 000002
【特許請求の範囲】
【請求項１】
紐体が巻回されてなる紐巻体を保持する容器本体と、
前記容器本体に対して回動自在に取付けられ、回転によって前記容器本体で保持している前記紐巻体から繰出された前記紐体が巻付けられる回動蓋体と、
前記回動蓋体に配設し、前記回動蓋体の外周側壁面に対し前記容器本体で保持している前記紐巻体から引出した前記紐体の始端を固定する始端固定部と、
前記容器本体の前記回動蓋体の取付側に配設し、前記容器本体で保持している前記紐巻体から繰出された前記紐体を前記回動蓋体の外周側壁面に対してその周方向に導くガイド部と、
前記容器本体側または前記回動蓋体側に付された前記回動蓋体の外周側壁面の周長に対応する目盛と
を具備することを特徴とする巻紐用ディスペンサ。
【請求項２】
更に、前記容器本体側に配設し、前記紐巻体から繰出され前記回動蓋体に巻取られた前記紐体を切断する切断刃を具備することを特徴とする請求項１に記載の巻紐用ディスペンサ。
【請求項３】
更に、前記回動蓋体に対して指を掛止自在とする掛止手段を前記回動蓋体に設けたことを特徴とする請求項１または請求項２に記載の巻紐用ディスペンサ。
【請求項４】
更に、前記回動蓋体には、前記回動蓋体を回転させる回転レバーを設けたことを特徴とする請求項１または請求項２に記載の巻紐用ディスペンサ。
【請求項５】
前記容器本体の前記回動蓋体の取付側周囲には、前記回動蓋体の外周側壁面側から外方向に突出する鍔部が形成されていることを特徴とする請求項１乃至請求項４の何れか１つに記載の巻紐用ディスペンサ。
【請求項６】
前記ガイド部は、前記回動蓋体の外周側壁面側から外方向に突出し、前記紐巻体から繰出された前記紐体が通過する側のエッジを円弧状に切り欠いてなることを特徴とする請求項１乃至請求項５の何れか１つに記載の巻紐用ディスペンサ。
【発明の詳細な説明】
【技術分野】
【０００１】
本発明は、ビニル紐、毛糸等の巻回された紐体の長さを測定する巻紐用ディスペンサに関するもので、特に、市販のビニル紐、毛糸等の巻回された紐体の所定長さの供給を可能とする巻紐用ディスペンサに関するものである。
【背景技術】
【０００２】
荷造りや、古本、古雑誌、古新聞の梱包を行う際にビニル紐、スズランテープ（登録商標）等が使用されているが、古本・古雑誌や古新聞等の結束対象物に巻付けて束ね、固く結ぶ作業のし易さから、その作業では巻回された状態の紐体を予め所定量に切り取って結束に使用される。しかし、必要な長さで正確に切断するのは難しく、目分量で適当な長さで切断を行うと、紐体が長すぎて紐体を無駄にしてしまったり、紐体が短すぎて結束に足りなかったりする。わざわざメジャーや定規等の計測器具を用意して巻回された状態の紐体を展開してその長さを計測するのも不便で煩わしい。特に、必要量が長いと、巻回された紐体を直線状に展開して長さを計測するのに場所をとったり、スケールの長さ単位での繰り返しの計測作業が必要で手数がかかり紐体が絡まってしまったりすることもある。
【０００３】
そこで、特許文献１では目盛や数字を印字したビニル紐を開示しており、ビニル紐上に印字した目盛や数字の読み取りによりビニル紐の長さを把握できるとしている。
また、特許文献２には、線状または帯状のリボン、面ファスナ等の店頭販売において、リボン、面ファスナ等の箱型容器に目盛を付すことにより、別途物差し等を用意しなくとも所定長さの計測を可能とする技術が開示されている。
【先行技術文献】
【特許文献】
【０００４】
【特許文献１】特開２０１１−１５４０１３号公報
【特許文献２】昭和６０−１４５１５６号公報
【発明の概要】
【発明が解決しようとする課題】
【０００５】
しかしながら、特許文献１の発明においては、計測のために数字や目盛をビニル紐に付しているものであり、市販されている多種の既存のビニル紐を必要な長さに計測可能とするものではない。更に、目盛や数字を印字したビニル紐では、印刷コスト等がかかるためコスト高となるうえ、ビニル紐が幅狭であることから印字した数字や目盛は読み取りにくく、使い勝手に欠けることが予測される。
また、特許文献２の発明は、リボン、面ファスナ等を収容する箱容器の直線状の短い一辺に目盛を付したのみであり、その計測は物差し等を用いて行うときと同様に手でリボン、面ファスナ等を箱容器から引き出して、箱容器の直線状の短い一辺のスケールの長さ単位で計測するものである。したがって、必要量が長い場合には所定のスケール単位で計測が区切られ箱容器からの紐体の引き出し操作及び段階的な計測操作の繰り返しが必要であることから、手数のかかる作業である。また、箱容器から引き出されて計測し終えた紐体の束はまとまりのないものであるから、絡まりが生じることもある。
【０００６】
そこで、本発明は、従来の問題点を解消すべく、簡単な操作で巻回された任意の紐体の所望長さの供給を可能とし、かつ、紐体を取扱い易い状態で供給可能な巻紐用ディスペンサの提供を課題とするものである。
【課題を解決するための手段】
【０００７】
請求項１の発明の巻紐用ディスペンサは、紐体が巻回されてなる紐巻体を保持する容器本体に対して回動蓋体を回動自在に取付け、また、前記回動蓋体の外周側壁面に対して前記紐体を巻付ける始点を固定する始端固定部を前記回動蓋体に配設し、更に、前記容器本体の前記回動蓋体の取付側に前記紐体を前記回動蓋体の外周側壁面に対してその周方向に導くガイド部を配設し、そして、前記回動蓋体の外周側壁面の周長に対応した目盛を前記容器本体側または前記回動蓋体側に付したものである。
【０００８】
ここで、上記容器本体は、紐巻体の転がりを防止して一定の範囲内に収めまたは留めてその使用空間を制限するように保持するものであり、紐巻体を受け入れ自在な構造であればよく、紐巻体を容器状の空間に収容する構造であってもよいし、紐巻体の軸支や紐巻体への係合手段等によって紐巻体を支持する構造であってもよい。
【０００９】
上記巻回された紐体(紐を含む)からなる紐巻体としては、ポリプロピレン、ナイロン等の合成樹脂製（ＰＰテープ、ＰＥテープ、ビニル紐、スズランテープ（登録商標）と呼ばれることもある）、紙製、綿製、ゴム製の紐（テープ）や、麻紐や、絹（レーヨン等も含む）紐や、毛糸等の玉巻、コーン巻のもの等が挙げられ、ロープ状のものも含まれる。
また、紐体とは、一重でできた紐、複数本でできた紐、単数本または複数本をよった紐を総称している。
【００１０】
上記回動蓋体は、前記容器本体に対して回動自在に取付けられ、回転によってその外周側壁面に前記容器本体で保持している前記紐巻体から繰出された前記紐体が巻付けられるものである。好ましくは、円盤状または円筒状といった外形を円形状に形成することにより、紐体を一定の張力で巻取ることが可能で紐体の長さの正確な計測が可能である。
【００１１】
上記始端固定部は、前記回動蓋体の外周側壁面に対して前記紐体を巻付ける始点を固定するためのものであり、前記回動蓋体の外周側壁面に対して前記紐体を固定できる構造であればよく、紐体を挟持することで固定してもよいし、紐体を巻付けるまたは引掛ける構造により紐体を固定してもよい。
【００１２】
上記ガイド部は、前記容器本体で保持している紐巻体から繰出された前記紐体の移動を案内するもので、前記紐体を前記回動蓋体の外周側壁面に対してその周方向に沿うように案内する構造であればよい。
【００１３】
上記目盛は、前記回動蓋体に巻取る前記紐体の長さを始端固定部から計測するためのものとして、前記回動蓋体の外周側壁面に巻取る前記紐体の長さを目視で確認させるものであり、前記紐体が巻付けられる前記回動蓋体の外周側壁面の周長に対応させておれば、前記容器本体側に目盛を付してもよいし、前記回動蓋体側に目盛を付してもよい。
【００１４】
請求項２の発明の巻紐用ディスペンサは、更に、前記容器本体側に配設し、前記紐巻体から繰出され前記回動蓋体に巻取られた前記紐体を切断する切断刃を有するものである。
上記切断刃は、前記紐体を切断できる刃物形状を有しておれば、直線状、鋸状（波形状）等の刃の外形は特に問われない。また、その位置は、前記容器本体側または前記回動蓋体側の特定の位置に限定するものではないが、好ましくは、前記紐巻体から繰出された前記紐体が前記ガイド部に向かう通り道の近くに設けると、前記紐巻体から繰出された前記紐体を切断刃に導いて押圧するのみで前記回動蓋体に巻取った前記紐体を前記回動蓋体から外すことなく切断でき、かつ、前記回動蓋体に巻取った所望の長さと切断した長さとの誤差を少なくできる。
【００１５】
請求項３の発明の巻紐用ディスペンサは、指を掛止自在とする掛止手段を前記回動蓋体に設けたものである。
上記掛止手段は、指を掛止させることで回転操作を容易かつ円滑にするためのものであり、例えば、指を挿入する開口を設け指を掛ける場所を確保することで、その開口に指を引っ掛け回動蓋体の回転操作を行うようにしてもよいし、指を引掛けるための突起を設けて回動蓋体の回転操作を行うようにしてもよい。
【００１６】
請求項４の発明の巻紐用ディスペンサは、前記回動蓋体に対して前記回動蓋体を回転させる回転レバーを設けたものである。
ここで、前記回動蓋体を回転させる回転レバーは、人が無作為に操作できるものであるから、操作性を取扱説明書を見るまでなく使用できる。
【００１７】
請求項５の発明の巻紐用ディスペンサは、前記容器本体の前記回動蓋体の取付側周囲に、前記紐体が巻付けられる前記回動蓋体の外周側壁面側から外方向に突出する鍔部が形成されているものである。
上記鍔部は、前記回動蓋体の外周側壁面に対して略垂直に外方向に突出して設けられ、前記回動蓋体の外周側壁面に巻付けられる前記紐体が前記回動蓋体の外周側壁面から脱線するのを防止し、前記紐体を前記回動蓋体の外周側壁面に位置決めするものである。
【００１８】
請求項６の発明の巻紐用ディスペンサの前記ガイド部は、前記容器本体の前記回動蓋体の取付側において、前記紐体が巻付けられる前記回動蓋体の外周側壁面側から外方向に向かって突設し、前記紐巻体から繰出された前記紐体が通過する側の側端縁部の側壁面を内側に向う円弧状に形成することによって、前記紐巻体から繰出された前記紐体が通過する側のエッジを円弧状に切り欠いたものである。
【発明の効果】
【００１９】
請求項１の発明に係る巻紐用ディスペンサによれば、巻回された紐体からなる紐巻体を保持する容器本体に対して回動蓋体が回動自在に取付けられており、その回動蓋体には紐体を固定する始端固定部が配設し、更に、前記容器本体の前記回動蓋体の取付側には前記容器本体で保持している紐巻体から繰出された前記紐体を前記回動蓋体の外周側壁面に対してその周方向に導くガイド部が配設する。したがって、前記容器本体で保持している紐巻体から引き出した紐体を前記ガイド部を通って前記回動蓋体に配設した前記始端固定部に固定し、前記容器本体を回転させると、前記容器本体で保持している紐巻体から紐体が繰出し、前記ガイド部によって前記回動蓋体の外周側壁面に対してその周方向に導かれ、前記始端固定部を始点として前記回動蓋体に巻取られる。そして、前記容器本体側または前記回動蓋体側に付された前記回動蓋体の外周側壁面の周長に対応した目盛によって前記回動蓋体に巻取る前記紐体の長さを計測する。
【００２０】
このように、巻回された紐体からなる紐巻体を保持する容器本体に対して回動自在に取付けた回動蓋体を回転させることによって、回動蓋体の外周側壁面に紐体を巻取り、容器本体側または回動蓋体側に付された回動蓋体の外周側壁面の周長に対応した目盛により回動蓋体の外周側壁面に巻取る紐体の長さを計測するものであるから、任意の紐体の所望長さの供給を可能とし、紐体を回動蓋体で巻取っていることでその計尺に場所をとることもない。
また、所望とする長さが長くても、連続的な回動蓋体の回転操作のみで紐体が連続的に回動蓋体の外周側壁面に巻取られ、回動蓋体の回転数の把握及び目盛の読み取りにより回動蓋体に巻取る紐体の長さを容易に判断できるから、段階的に区切ることのない計測操作を可能とし、その計測操作に手間をとらない。
更に、紐巻体から繰出された紐体は、回動蓋体で巻取られることで規則的な巻回状態でまとめられるから、絡まり難く取扱い易い状態で供給できる。
【００２１】
紐巻体の紐体は、その内側から順次繰出されるから、紐体が不用意に巻付いたりキンク(Kink)したり、うねり、つぶれが生じたりすることがない。故に、紐体の使用が全くなくなるまで正常に使用できる。
したがって、簡単な操作で巻回された任意の紐体の所望長さの供給を可能とし、かつ、紐体を取扱い易い状態で供給できる。
【００２２】
請求項２の発明に係る巻紐用ディスペンサによれば、前記容器本体側に配設した切断刃によって、前記紐巻体から繰出された前記紐体を切断するから、請求項１に記載の効果に加えて、鋏等を用意しなくとも前記回動蓋体に所望長さで巻き取った紐体を切断刃に導くことで切断でき、便利である。
【００２３】
請求項３の発明に係る巻紐用ディスペンサによれば、前記回動蓋体に設けた掛止手段によって前記回動蓋体に指を係止自在であるから、請求項１または請求項２に記載の効果に加えて、回動蓋体の回転操作を容易かつ円滑に行うことができ、使い勝手が良い。
【００２４】
請求項４の発明に係る巻紐用ディスペンサによれば、前記回動蓋体にその回動蓋体を回転させる回転レバーを設けたものであるから、請求項１または請求項２に記載の効果に加えて、回転レバーの回転で測定ができるので、特に、長尺物の繰返し測定に好適である。
【００２５】
請求項５の発明に係る巻紐用ディスペンサによれば、前記容器本体の前記回動蓋体の取付側周囲に鍔部が前記回動蓋体の外周側壁面側から外方向に突出しているから、鍔部によって前記回動蓋体の外周側壁面から紐体が外れ落ちるがない。よって、請求項１乃至請求項４の何れか１つに記載の効果に加えて、確実に前記紐体を前記回動蓋体に巻回して保持でき、巻取りによる計測作業を円滑に行うことができる。
【００２６】
請求項６の発明に係る巻紐用ディスペンサによれば、前記ガイド部は、前記回動蓋体の外周側壁面側から外方向に突出し、前記紐体を通過させる側壁面を円弧状に形成することでエッジを円弧状に切り欠いたことから、前記紐体が円弧状に切り欠いたエッジ側を通過し、前記回動蓋体の外周側壁面側のコーナ角で引っ掛かり難い構造である。よって、請求項１乃至請求項５の何れか１つに記載の効果に加えて、円滑に紐体が回動蓋体の外周側壁面に案内されるから、回動蓋体の回転操作をスムースに行うことができ、迅速な計測作業が可能である。
【図面の簡単な説明】
【００２７】
【図１】図１は本発明の実施の形態に係る巻紐用ディスペンサを巻回された紐体からなる紐巻体が装填され紐体の巻取状態で示す正面図である。
【図２】図２は本発明の実施の形態に係る巻紐用ディスペンサを巻回された紐体からなる紐巻体が装填され紐体の巻取状態で示す側面図である。
【図３】図３は本発明の実施の形態に係る巻紐用ディスペンサを紐体の巻取状態で上から見て示す平面図である。
【図４】図４は本発明の実施の形態に係る巻紐用ディスペンサの図３のＡ−Ａ断面図である。
【図５】図５は本発明の実施の形態に係る巻紐用ディスペンサの図３のＢ−Ｂ断面図である。
【図６】図６は本発明の実施の形態に係る巻紐用ディスペンサの分解斜視図である。
【図７】図７は本発明の実施の形態に係る巻紐用ディスペンサの全体斜視図で、巻紐用ディスペンサの操作を示す説明図である。
【図８】図８は本発明の他の実施の形態に係る巻紐用ディスペンサの全体斜視図で、紐体の移動を示す説明図である。
【発明を実施するための形態】
【００２８】
以下、本発明の実施の形態について、図面を参照しながら説明する。
なお、実施の形態において、同一の記号及び同一の符号は、実施の形態中の同一または相当する機能部分を意味するものであるから、ここでは重複する詳細な説明を省略する。
【００２９】
まず、本発明の実施の形態に係る巻紐用ディスペンサ１の構成について図１乃至図７を参照して説明する。
本実施の形態の巻紐用ディスペンサ１は、有底円筒状の容器本体１０と、容器本体１０に対して回動自在に嵌合し、上端面の周囲に目盛２２を付してなる円盤状の回動蓋体２０と、回動蓋体２０の側面に設けた始端固定部３０と、容器本体１０の回動蓋体２０が取付けられる端部側で径方向に略Ｌ字状に突出したガイド部４０と、ガイド部４０の下端に配設した切断刃５０とを有する。
【００３０】
容器本体１０は、円盤状の底部１１と、その周縁に立設する円筒状の側壁部１２と、側壁部１２の一端側から拡大された径の鍔部１３とから形成され、紐体ｔが円筒状、円環状、または球状に巻回されてなる紐巻体Ｔを収容する所定の内容積を有する。
底部１１は、その底面部をフランジ状に拡径することによって着地の安定化を図っているが、更に、底部１１をゴム、エラストマ等の接触抵抗が大きい材料で形成したり、或いは、底面にゴム、エラストマ等からなる滑り止め材を配設したり凹凸を形成したり等することによって滑り止め機能を付加すると、後述する回動蓋体２０の回転操作時に安定して力が入りやすくなるから回転操作がしやすくなる。
円筒状の側壁部１２は、その径が収容する紐巻体Ｔの大きさよりも大きく設定され、通常、容器本体１０に収容した紐巻体Ｔを確認できるように、アクリル樹脂等のプラスチックやガラス等の透明体で形成され、或いは、その一部に透明な窓が形成される。
【００３１】
なお、紐巻体Ｔにおいては、後述するようにその空洞側を容器本体１０の側面側に向けて配置することで回動蓋体２０への円滑な巻取りを可能とすることから、例えば、容器本体１０の側壁部１２の内径は市販の玉巻等の径の大きさではなく径方向に垂直な高さ（長さ）を考慮して設計される。特に、後述するように回動蓋体２０の回転に伴い容器本体１０に収容されている紐巻体Ｔから紐体ｔが繰出されるが、このとき容器本体１０の側壁部１２の内径が広すぎると、紐巻体Ｔが転がってその位置が安定しない。このため、容器本体１０の中で紐巻体Ｔから解かれた紐体ｔに絡まりが生じたり、紐巻体Ｔから解かれた紐体ｔに紐巻体Ｔの重みが加わったりして、紐体ｔの回動蓋体２０への円滑な巻取りが行えなくなる恐れがある。よって、容器本体１０は計尺の対象物の大きさに応じた寸法の設計が好ましい。しかし、本発明を実施する場合には、紐巻体Ｔの転がりを制限する手段は、容器本体１０の寸法設計に限られることなく、紐巻体Ｔの転がりを防止するために紐巻体Ｔを容器本体１０に固定する固定手段を設けるとしてもよい。また、紐巻体Ｔが載置される底部１１の上面をゴム、エラストマ等の接触抵抗が大きい材料で形成したり、或いは、ゴム、エラストマ等からなる滑り止め材を配設したり凹凸を形成したり等によって滑り止め機能を付加することで紐巻体Ｔの転がりを防止することも可能である。
【００３２】
そして、側壁部１２には、筒状の中に収容した紐巻体Ｔから紐体ｔの始端を容器本体１０の外部に引き出して回動蓋体２０に導くための取出孔１５を設けている。この取出孔１５は、紐体ｔが通る程度の大きさで側壁部１２の表裏面を貫通して形成され、回動蓋体２０に導く紐体ｔの弛みを防止するガイド孔としても機能する。
【００３３】
そして、容器本体１０の一端側に配設する鍔部１３は、側壁部１２の周縁から径方向の外方に向かって環状に拡げられ、後述する回動蓋体２０の環状の底面を受けて回動蓋体２０が摺動する摺動面１３ａを有する環状の受部１３Ａと、受部１３Ａの周縁部に立設し受部１３Ａに対して垂直な垂直部１３Ｂとによって断面略Ｌ字状に形成されている。
このように鍔部１３において回動蓋体２０の環状の底面を受ける受部１３Ａに対して垂直な垂直部１３Ｂを設けていることで、垂直部１３Ｂの内周壁面が受部１３Ａの摺動面１３ａを摺動する回動蓋体２０の軌道を決定している。
【００３４】
この鍔部１３は、その受部１３Ａの摺動面１３ａの径方向の幅（厚み）が、後述の回動蓋体２０の環状の底面の径方向の幅（側壁部２０Ｂの厚み）と同等以上に形成されており、受部１３Ａに垂直な垂直部１３Ｂが、後述の回動蓋体２０に対し、その外径よりも拡径であることで、回動蓋体２０の外周側壁面に巻取られる紐体ｔの回動蓋体２０からの脱線や脱落を防止して、紐体ｔを回動蓋体２０の外周側壁面に位置決めする。また、回動蓋体２０への紐体ｔの巻付けを緩みのないものとする。
【００３５】
なお、垂直部１３Ｂの内径は、回動蓋体２０の外径より若干大きいも略同程度に設定され、受部１３Ａの摺動面１３ａを摺動する回動蓋体２０に対し、その側壁部２０Ｂの外周側壁面に巻取られた紐体ｔが、鍔部１３の垂直部１３Ｂの内周壁面との間に陥没することのない設計になっており、回動蓋体２０の外周側壁面に巻取られる紐体ｔの重巻の厚みが垂直部１３Ｂの内周壁面によって制限されないようにしている。そして、上述したように受部１３Ａの摺動面１３ａの径方向の幅（厚み）が、回動蓋体２０の環状の底面の径方向の幅（側壁部２０Ｂの厚み）と同等以上に形成されていることで、回動蓋体２０のがたつきのない安定した回転を可能とする。
【００３６】
また、鍔部１３の垂直部１３Ｂの内周側には、後述する回動蓋体２０の外周側壁面に設けた突起部２２が嵌められる嵌合溝１３ｂを設けており、回動蓋体２０の外方に突出した突起部２２と垂直部１３Ｂに設けた嵌合溝１３ｂとの嵌合によって、容器本体１０に対して回動自在に取付けた回動蓋体２０の上方向への移動を規制し、回動蓋体２０を上方向に持ちあげたときでも回動蓋体２０が容器本体１０から外れることのないようにしている。
【００３７】
更に、本実施の形態では、容器本体１０に収容された紐巻体Ｔから繰出され取出孔１５から引き出された紐体ｔを、容器本体１０に嵌合する回動蓋体２０の外周側壁面に対してその周方向に案内するためのガイド部４０が、鍔部１３の周方向の一部に設けられている。
ガイド部４０では、鍔部１３の垂直部１３Ｂの周方向の一部を切り欠いて垂直部１３Ｂの開放側の一端部から径方向の外方に向かって略Ｌ字状に突出する側壁部４１を設け、紐体ｔが通る開口４２を有している。
【００３８】
このように、鍔部１３において垂直部１３Ｂの一部を開放してその一端部から径方向に延びる側壁部４１を形成し、紐体ｔが通る開口４２を有することで、回動蓋体２０の外周側壁面に対し、その周方向に紐体ｔを案内して、回動蓋体２０の回転によって回動蓋体２０の外周側壁面への紐体ｔの巻取りを可能とする。
【００３９】
特に、本実施の形態では、側壁部４１において、鍔部１３の垂直部１３Ｂの開放側の端部から径方向に突出する間で、開口４２側の側壁が円弧状に切り欠かれていることにより、円弧状のエッジに紐体ｔが導かれるから回動蓋体２０の外周側壁面側のコーナで紐体ｔが引掛かることもなく、回動蓋体２０の外周側壁面に対して紐体ｔのスムースな誘導を可能とする。
【００４０】
また、本実施の形態では、垂直部１３Ｂの開放側の一端部から径方向にＬ字状に突出した側壁部４１は、垂直部１３Ｂの開放側の反対側の他端部に接続しておらず開口し開口部４３を有していることで、容器本体１０に収容された紐巻体Ｔから繰出され取出孔１５から引き出された紐体ｔを、開口４２に対しその下側から上側に向けて挿通させなくとも、開口部４３から進入させて側壁部４１の円弧状のエッジ側に導くことができるから、使い勝手が良い。
【００４１】
なお、このガイド部４０は、容器本体１０の側壁部１２に設けた取出孔１５の上方に形成し、取出孔１５からガイド部４０までの距離を短くすると取出孔１５からガイド部４０までの間で紐体ｔの弛みが生じがたい。例えば、取出孔１５から引き出された紐体ｔがガイド部４０に導かれるときの紐体ｔの傾斜が鉛直方向を０°としたとき、０°〜３０°の範囲内となる位置にガイド部４０の側壁部４１を設けることで、紐体ｔの弛みが防止され、安定した巻径で紐体ｔを回動蓋体２０の外周側壁面に巻取ることができる。
【００４２】
加えて、本実施の形態においては、上方が開放されたガイドパイプ４４を容器本体１０の側壁部１２に設けた取出孔１５の下方側の開口縁から上方斜めに向かって突設しており、ガイドパイプ４４によって取出孔１５からガイド部４０に向かう紐体ｔの通り道を形成し、取出孔１５からガイド部４０に向かって紐体ｔを案内する。これより、容器本体１０の側壁部１２に設けた取出孔１５から引き出された紐体ｔがガイド部４０に向かう間で弛むのを防止し、紐体ｔの回動蓋体２０の外周面への巻取りを緩みのないものとして巻径を安定させることができる。
【００４３】
なお、取出孔１５に向かって鍔部１３の受け部１３Ａから側壁部１２に亘ってスリットを形成してもよい。これにより、容器本体１０に収容された紐巻体Ｔから紐体ｔの始端部を引き出して取出孔１５に挿通させる作業を行わなくても、紐体ｔの始端部をスリットの上から通すことで容易に取出孔１５に導くことができる。
【００４４】
更に、本実施の形態では、ガイド部４０の側壁部４１の下端に紐体ｔを切断する切断刃５０を備えた切断刃取付部５１が設けられている。
切断刃取付部５１の切断刃５０は、ガイド部４０を構成する側壁部４１の円弧状に切り欠かれた側壁の下端において、その側壁面側から開口４２側に突出している。これより容器本体１０の側壁部１２に設けた取出孔１５から引き出されてからガイド部４０に案内されるまでの間で紐体ｔを切断刃５０に導く操作により切断刃５０で切断することができる。
【００４５】
なお、この切断刃５０は、容器本体１０の側壁部１２に設けた取出孔１５から引き出された紐体ｔがガイド部４０に案内されて回動蓋体２０の外周側壁面に向かうその通り道を外して配設しており、取出孔１５から引き出された紐体ｔがガイド部４０に案内されるまでの過程で切断刃５０によって切断されないようになっている。
【００４６】
そして、このように本実施の形態の容器本体１０は、底部１１、側壁部１２及び鍔部１３より形成されるが、底部１１、側壁部１２及び鍔部１３は一体成形によって形成してもよいし、別々に形成し接合等により一体としてもよい。例えば、図４では、底部１１と側壁部１２の関係を嵌合構造とし接着剤で固定しているが、本発明を実施する場合には、底部１１に対して側壁部１２の安定した立設状態を維持できれば、底部１１と側壁部１２を一体成形によって形成してもよいし、螺合によるねじ込み式で接続してもよいし、接着剤や螺子等を用いて固着させてもよい。容器本体１０の側壁部１２と鍔部１３は接着剤等によって接合されて一体に形成しているが、本発明を実施する場合には、一体成形により形成しても良いし、嵌合、螺合等によって着脱自在に形成してもよい。
【００４７】
そして、容器本体１０に取付けられる回動蓋体２０は、周囲に目盛２２が付された蓋面部２０Ａと、その周縁から直角方向に延びる円筒状の側壁部２０Ｂとから形成されている。
本実施の形態において、目盛２２は、１ｍｍ間隔で蓋面部２０Ａの周囲に付してある。また、後述の側壁部２０Ｂに配設した始端固定部３０に対応する位置から反時計回りで１ｃｍ、２ｃｍ、３ｃｍ、・・５０ｃｍと１ｃｍ間隔で１周分の数字が表示され、更に、６０ｃｍ、７０ｃｍ、・・１００ｃｍと１０ｃｍ間隔で数字が表示され２周分の長さが表示されている。これより、後述するように回動蓋体２０を時計回りに回転させ回動蓋体２０の外周側壁面に紐体ｔが巻取られるその長さを、回動蓋体２０の外周側壁面の周囲長に対応させた目盛２２の読み取りにより計測できる。特に、始端固定部３０に対応する位置から反時計回りで１ｃｍ、２ｃｍ、３ｃｍ、・・５０ｃｍと１ｃｍ間隔で回動蓋体２０に数字が表示されるから、回動蓋体２０の外周側壁面に紐体ｔが巻取られた長さの読み取りも容易である。
【００４８】
本発明を実施する場合には、目盛２２の内容は、紐体ｔが巻付けられる回動蓋体２０の外周側壁面の周囲長に対応するものであれば上記に限定されず、例えば、２ｍｍ、・・５ｍｍ、・・１ｃｍ、・・２ｃｍｍ等の間隔であってもよい。また、１周分の周長の表示のみならず、２周分以上の周長を表示してもよい。本実施の形態では、蓋面部２０Ａの周囲長と紐体ｔが巻付けられる回動蓋体２０の外周側壁面の周囲長が一致するから、蓋面部２０Ａの周囲に目盛２２を付している。
【００４９】
なお、本発明を実施する場合には、例えば、蓋面部２０Ａを円筒状の側壁部２０Ｂより径大としてフランジ状に形成することも可能であり、この場合には回蓋面部２０Ａの周囲長と紐体ｔが巻付けられる回動蓋体２０の外周側壁面の周囲長が相違するから、回動蓋体２０の外周側壁面の周囲長に対応させた間隔で目盛２２を付すことになる。
【００５０】
更に、本実施の形態の回動蓋体２０の蓋面部２０Ａには、指が挿入されるための複数（図においては５つ）の開口部２１が設けられている。これより、開口部２１に指を挿入し開口縁に掛けることができるから、回動蓋体２０の回転操作がし易い。
また、本発明を実施する場合には、例えば、回動蓋体２０の上端面や側面をゴム、エラストマ等で形成したり、回動蓋体２０の上端面や側面に溝または突起を形成したりする等によって滑り止め加工を施し、滑り止め加工の高摩擦力により回転操作時に指が滑らないようにしてもよい。更に、手指で把持する摘みを回動蓋体２０に設けてもよい。これらによっても、回動蓋体２０の回転操作を容易なものとすることができる。
【００５１】
回動蓋体２０の側壁部２０Ｂは、その外周側壁面に紐体ｔの巻取りを可能とする所定面積を有し、その下部には容器本体１０を構成している鍔部１３の垂直部１３Ｂに形成された嵌合溝１３ｂに嵌合させる突起部２３（図においては２つ）を設けている。
これより、回動蓋体２０の外方に突出した突起部２３を垂直部１３Ｂの嵌合溝１３ｂに嵌合させることで、回動蓋体２０の回動操作によって回動蓋体２０に対して上方向に持ちあげる力が働いたときでも容器本体１０から回動蓋体２０が外れることがない。よって、容器本体１０に対して回動蓋体２０の安定した円滑な摺動を可能とし、紐体ｔの回動蓋体２０への巻取り作業をスムーズなものとし、操作性が向上する。
【００５２】
なお、図において、突起部２３は上面が外側に向かって下方向に僅かに傾斜する断面略三角形状に形成され、嵌合溝１３ｂは垂直部１３Ｂに断面略コ字状に切り欠いて形成されており、突起部２３を嵌合溝１３ｂに嵌合させることによって容器本体１０に対し回動蓋体２０が回動自在に係止するようになっている。しかし、本発明を実施する場合には、容器本体１０に対し回動蓋体２０を回動自在に係止できれは、上記の嵌合溝１３ｂと突起部２３の形状に限定されず、例えば、嵌合溝１３ｂと突起部２３を噛み合わせる形状としてもよいし、突起部２３に弾性を持たせて嵌合溝１３ｂに嵌合するようにしてもよく、その係止構造は特に問われない。また、このような係止構造を設けて容器本体１０に対して回動蓋体２０を着脱自在に固定することなく、容器本体１０に対して回動蓋体２０を載置するのみの構造としてもよい。
【００５３】
また、本発明を実施する場合には、紐体ｔが巻付けられる側壁部２０Ｂの外周側壁面は、凹凸状の形成や、ゴム、エラストマで形成等による滑り止め加工によって高摩擦係数とし、その表面に巻取られる紐体ｔの滑り難くしてもよい。これにより、回動蓋体２０の外周側壁面に巻取られる紐体ｔに弛みが生じ難く、安定した張力で紐体ｔを回動蓋体２０の外周側壁面に巻取ることが可能となる。よって、紐体ｔの巻径を安定させ、紐体ｔの巻取り長さのより正確な計測を可能とする。
【００５４】
更に、本実施の形態では、回動蓋体２０を構成する側壁部２０Ｂにおいて、その外周側壁面側から径方向の外方に向かって略Ｔ字状に突出する始端固定部３０が設けられており、紐体ｔを引っ掛けることでまたは巻付けることで始端固定部３０に固定できるようになっている。
具体的に、図において、側壁部２０Ｂの上方側に配設する始端固定部３０は、側壁部２０Ｂの外周側壁面から法線方向に延びた突起部３０Ａと、突起部３０Ａに対して略直角に設けた掛止部３０Ｂから形成されている。また、掛止部３０Ｂには切り欠き３０ｂが形成されこの切り欠き３０ｂに紐体ｔを食い込ませて引掛かけることもできるようになっている。
【００５５】
しかし、本発明を実施する場合には、紐体ｔを回動蓋体２０に巻取る始点位置を固定できれば、図に示した始端固定部３０の形状に限定されず、例えば、断面Ｕ字状のフック形状であってもよいし、クリップで挟持する形態としてもよい。
【００５６】
このように本実施の形態の巻紐用ディスペンサ１は、紐体ｔが円筒状または球状に巻回されてなる紐巻体Ｔを収容する容器本体１０の端部に対し、回動自在に摺動する円盤状の回動蓋体２０を設けている。
また、回動蓋体２０の蓋面部２０Ａの周囲には紐体ｔが巻付けられる側壁部２０Ｂの外周側壁面の周長に対応した目盛２２が付され、側壁部２０Ｂにはその外周側壁面側に始端固定部３０が設けられている。更に、回動蓋体２０が取付けられる容器本体１０の一端部には、径方向に突出したガイド部４０の側壁部４１を設けている。
【００５７】
これより、紐巻体Ｔの紐体ｔの始端部を容器本体１０の側壁部１２に設けた取出孔１５から引き出して回動蓋体２０の外周側壁面側に設けた始端固定部３０に掛けてまたは巻付けて固定し、また、取出孔１５から引き出して始端固定部３０に固定する紐体ｔがガイド部４０の開口４２を通るようにし、回動蓋体２０の蓋面部２０Ａに設けた開口部２１に指を挿入して開口縁に掛け回動蓋体２０を時計回りに回転させると、紐巻体Ｔから紐体ｔが繰出され、繰出された紐体ｔは取出孔１５を通ってガイド部４０の側壁部４１に案内されることで一定の張力で回動蓋体２０の側壁部２０Ｂの外周側壁面に沿って巻取られる。
【００５８】
このとき、始端固定部３０に固定したところが回動蓋体２０に巻取られる紐体ｔの始点となり、始点の移動距離、即ち、回動蓋体２０の回転距離が回動蓋体２０に巻取られた紐体ｔの長さであり、回動蓋体２０の蓋面部２０Ａの周囲には側壁部２０Ｂの外周側壁面の周長に対応した目盛２２が付されているから、目盛２２の読み取りにより回動蓋体２０の回転距離、即ち、回動蓋体２０に巻かれた紐体ｔの長さを計測できる。よって、別途メジャー等を用意しなくとも紐体ｔの必要長さの計測が可能である。
【００５９】
こうして、本実施の形態の巻紐用ディスペンサ１は、紐巻体Ｔから引き出した紐体ｔを回動蓋体２０の始端固定部３０に固定し、このとき取出孔１５から引き出され始端固定部３０に固定する紐体ｔがガイド部４０の開口４２を通るようにし、そして、回動蓋体２０を回転させると、容器本体１０に収容した紐巻体Ｔから紐体ｔが繰出され、繰出された紐体ｔがガイド部４０によって回動蓋体２０の外周側壁面に導かれ、始端固定部３０に固定したところを始点として回動蓋体２０に巻取られるので、目盛２２で巻取り量を計測することにより、所望量の長さの供給を可能とする。
【００６０】
更に、本実施の形態の巻紐用ディスペンサ１は、ガイド部４０の下端部に切断刃５０を設けていることから、取出孔１５から引き出されガイド部４０に導かれる途中の紐体ｔを切断刃５０に導いて押圧することによって、回動蓋体２０の周囲に所定長さ巻取られた紐体ｔを所望の長さで切断することができる。特に、ガイド部４０の下端部で紐体ｔの通り道側に向けて切断刃５０を突設しているから、周囲に紐体ｔが巻付けられた状態の回動蓋体２０を容器本体１０から外すことなく、また、回動蓋体２０に巻取られた紐体ｔを回動蓋体２０から外すことなく、取出孔１５から引き出されガイド部４０にて回動蓋体２０に案内される手前で紐体ｔを切断刃５０に導いて押圧することで、紐体ｔを切断できる。よって、切断刃５０に導くために取出孔１５から必要以上に紐体ｔを引き出すことなく切断し、必要以上に長く引き出された紐体ｔを容器本体１０内に戻すことなく、次の計尺操作のために始端固定部３０に紐体ｔを固定するセットができる。
【００６１】
しかし、本発明を実施する場合には、切断刃５０の取付位置は、ガイド部４０の下端部に限定されることはなく、例えば、ガイド部４０の側壁部４１の対向位置に設けることもできる。
【００６２】
次に、本実施の形態の巻紐用ディスペンサ１の使用方法についてより詳しく説明する。
本実施の形態の巻紐用ディスペンサ１の使用に際しては、まず、容器本体１０の中に、即ち、底部１１、側壁部１２及び鍔部１３によって囲まれた空間に、紐体ｔが円筒状または球状に巻回されてなる紐巻体Ｔを収容する。そして、紐巻体Ｔから紐体ｔの始端部を取り出し、側壁部１２に設けた取出孔１５に通す。
【００６３】
このとき、市販のビニル紐や毛糸等の紐巻体Ｔではその空洞側の内側から紐体ｔの始端部を取り出し、紐巻体Ｔの空洞側が側壁部１２側に向くように配置すると、紐巻体Ｔから紐体ｔが繰出される際に紐巻体Ｔが回転することがないから、また、紐巻体Ｔから解かれる紐体ｔに鉛直方向の動きがあるから、容器本体１０の中で絡まりを生じることもなく紐巻体Ｔから紐体ｔがスムースに解かれ取出孔１５からガイド部４０へと引き出される。よって、円滑に回動蓋体２０への紐体ｔの巻取りを進行させることができる。即ち、回動蓋体２０を円滑に回転させて紐体ｔを一定の張力で回動蓋体２０に巻取ることができる。
【００６４】
そして、紐巻体Ｔが収容された容器本体１０に対し、回動蓋体２０を鍔部１３の受け部１３Ａにセットする。
特に、本実施の形態の巻紐用ディスペンサ１においては、回動蓋体２０の側壁部２０Ｂに径方向外方に突出する１以上の突起部２３を設け、鍔部１３を形成する垂直部１３Ｂの周囲に嵌合溝１３ｂを設けているから、回動蓋体２０の外方に突出した突起部２３を垂直部１３Ｂの嵌合溝１３ｂに嵌合させることで、容器本体１０から回動蓋体２０を持ちあげたときでも回動蓋体２０が外れることのないようにし、容器本体１０に対して回動蓋体２０を回動自在に固定する。
【００６５】
続いて、側壁部１２に設けた取出孔１５から取り出した紐体ｔの始端部を、回動蓋体２０を形成する側壁部２０Ｂの外周側に設けた始端固定部３０に引っ掛けてまたは巻付けて固定する。このとき、取出孔１５から取り出され始端固定部３０に固定した紐体ｔはガイド部４０を通るようにセットする。なお、紐体ｔの固定は、始端固定部３０を形成する突起部３０Ａ及び／または掛止部３０Ｂに巻付けてもよいし、更に切り欠き３０ｂに食い込ませてもよいし、紐体ｔの始端部をループ状に閉じてそのループを始端固定部３０に引っ掛けるようにしてもよい。
【００６６】
そして、このように容器本体１０に収容した紐巻体Ｔから紐体ｔの始端部を取出孔１５から取り出し、ガイド部４０を通って始端固定部３０に固定してセットした状態で、回動蓋体２０の蓋面部２０Ａに設けた複数の開口部２１に一方の手の指（例えば３本から５本）を挿入し、もう片方の手で容器本体１０が回動蓋体２０と一体に回転したり滑ったりしないように保持し、回動蓋体２０のみを時計回りに回転させる。すると、容器本体１０に収容した紐巻体Ｔから紐体ｔが繰出され、紐巻体Ｔから繰出された紐体ｔは、取出孔１５を通りガイド部４０によって回動蓋体２０の周方向に案内され、回動蓋体２０に設けた始端固定部３０に固定したところを始点として、回動蓋体２０の側壁部２０Ｂの外周側壁面に巻取られる。
なお、容器本体１０が回転したり滑ったりしない高摩擦係数の面上に容器本体１０を置いた場合や、容器本体１０の底面に滑り止め加工が施されていて容器本体１０が回転したり滑ったりしない場合には、片手の回動操作のみで回動させることができる。
【００６７】
このとき、回動蓋体２０の蓋面部２０Ａの周囲には側壁部２０Ｂの外周側壁面の周長に対応した目盛２２が付されているから、目盛２２の読み取りにより回動蓋体２０の外周側壁面に巻取った紐体ｔの長さを計尺できる。
本実施の形態では、回動蓋体２０の蓋面部２０Ａ（直径１７０ｍｍ）の周囲に１ｍｍ間隔で目盛が付され、また、回動蓋体２０の周囲において紐体ｔの始端部が固定される始端固定部３０を配設した位置から反時計回りで、１ｃｍ、２ｃｍ、３ｃｍ、・・５０ｃｍと１ｃｍ間隔で１周分の数字が表示され、更に、６０ｃｍ、７０ｃｍ、・・１００ｃｍと１０ｃｍ間隔で数字が表示され２周分の長さが表示されており、側壁部２０Ｂの外周側壁面の周長を５０ｃｍとしているから、回動蓋体２０を一周回転させる毎に５０ｃｍの紐体ｔが回動蓋体２０に巻取られることになる。
【００６８】
特に、本実施の形態においては、回動蓋体２０の蓋面部２０Ａの十分なスペースで目盛２２を表示できるから長さの読み取りも容易にでき、しかも、回動蓋体２０の蓋面部２０Ａの周囲に１ｍｍ間隔で目盛２２を付していることにより、回動蓋体２０の外周側壁面に巻取る長さをミリ単位で計尺可能である。
【００６９】
そして、本実施の形態では、紐体ｔの巻取りを行うために回転させる回動蓋体２０においてその外周側壁面の周長に対応した目盛２２を付し、始端固定部３０を配設した位置から反時計回りで、１ｃｍ、２ｃｍ、３ｃｍ、・・５０ｃｍ、・・６０ｃｍ・・７０ｃｍ・・１００ｃｍと、１ｃｍ間隔または１０ｃｍ間隔で２周分の数字を表示しているから、紐体ｔがガイド部４０の側壁部４１によって回動蓋体２０の外周側壁面に導かれて巻取られるその入口に対して、所望とする任意の巻取り長さに対応する目盛２２を合わせるように時計回りに回動蓋体２０を回転させる操作で、紐体ｔが回動蓋体２０に所望の任意の長さで巻取られたことになる。即ち、回動蓋体２０への紐体ｔの巻取りの入口に位置する目盛２２の読み取りにより、回動蓋体２０の外周側壁面に巻取った紐体ｔの長さを計測でき、回動蓋体２０に巻取った紐体ｔの長さの判断が容易である。
特に、所望とする長さが１００ｃｍを超えるときでも、回動蓋体２０の回転数を把握し、１００ｃｍ未満の端数に相当する目盛２２を紐体ｔの回動蓋体２０への入口に対応させるのみで、即ち、回動蓋体２０への紐体ｔの巻取りの入口に位置する目盛２２の読み取りのみで、回動蓋体２０の外周側壁面に巻取った紐体ｔの長さを計測でき、回動蓋体２０に巻取った紐体ｔの長さを容易に判断できる。
よって、回動蓋体２０に対して紐体ｔの長さを連続的に巻取る回動蓋体２０の回転操作のみで所望とする必要量の長さの計測を容易に行うことができる。
【００７０】
更に、本実施の形態の巻紐用ディスペンサ１では、回動蓋体２０の外周側壁面に紐体ｔを所望の長さ巻取ったら、取出孔１５を通過後であってガイド部４０にて回動蓋体２０に案内される前の紐体ｔをガイド部４０の下端に配設する切断刃取付部５１の切断刃５０に導いて押圧することにより切断することができる。例えば、回動蓋体２０に案内される前の紐体ｔを側壁部４１の上方において一方の手指で摘まみ、切断刃取付部５１の下方において他方の手指で摘まんで切断刃５０に導いて押圧することで切断できる。
【００７１】
なお、取出孔１５から引き出されて切断後に残った紐体ｔは始端固定部３０に固定させておくことで、次回の回動蓋体２０への巻取りによる紐体ｔの計測を迅速に行うことができる。また、容器本体１０に紐巻体Ｔが収容されているから、紐体ｔの絡まりを生じさせることのない収納保管としても便利である。
【００７２】
このように、本実施の形態の巻紐用ディスペンサ１によれば、回動蓋体２０を回転させる簡単な操作のみで、容器本体１０に収容した紐巻体Ｔから紐体ｔが繰出されて回動蓋体２０の外周側壁面に巻取られ、回動蓋体２０の周囲に付した目盛２２により回動蓋体２０に巻取る紐体ｔの長さを計測できる。したがって、別途メジャーや定規等を準備しなくとも市販のビニル紐等の紐巻体Ｔの必要長さを計測できる。
【００７３】
ここで、メジャーや定規等を用いた計測では、紐巻体Ｔから紐体ｔを引き出し、紐体ｔが直線状に延びた状態で測定を行うことから、特に、必要とする長さが長いとその測定に場所をとったり、また、計尺のスケールによっては３０ｃｍ、６０ｍ、９０ｃｍ等の段階的な繰り返しの引き出し作業及び計測作業が必要であったりする。また、紐巻体Ｔから引き出されて長さを計測し終えた紐体ｔはカール状にまとまりなく重なっていくため絡まりが生じることもある。
これに対し、本実施の形態の巻紐用ディスペンサ１の使用では、紐巻体Ｔから引き出された紐体ｔを回動蓋体２０に巻取り、回動蓋体２０に巻取る長さを回動蓋体２０の周囲に付した目盛２２で計測するから、紐体ｔの所望長さの計測に場所をとることもない。そのうえ、所望とする長さが長くても回動蓋体２０の連続的な回転操作により、紐巻体Ｔから紐体ｔが連続的に繰出されて回動蓋体２０に巻取られるから、回動蓋体２０の周回数の把握と所望長さに対応する目盛２２の位置まで回動蓋体２０を回転させることで、所望長さを迅速に計測できる。よって、計測操作に手数がかからず迅速に所望量の長さの計測を行うことができる。
【００７４】
更に、本実施の形態の巻紐用ディスペンサ１の使用では、紐巻体Ｔから繰出された紐体ｔは、回動蓋体２０の外周側壁面に巻取られることで規則的な巻回状態でまとめられるから、回動蓋体２０に巻取られた紐体ｔを必要量の長さで切断して回動蓋体２０から外したときでも絡まり難く、紐体ｔを使用し易い状態で供給できる。よって、所望長さに切断された紐体ｔをスムースに直線状に引きして、例えば、梱包等の結束に使用する作業に迅速に移すことができる。
【００７５】
このように、本実施の形態の巻紐用ディスペンサ１は、巻回された紐体ｔからなる紐巻体Ｔを保持する容器本体１０と、容器本体１０に対して回動自在に取付けられ、回転によって外周側壁面に容器本体１０で保持している紐巻体Ｔから繰出された紐体ｔを巻取る回動蓋体２０と、回動蓋体２０に配設し、回動蓋体２０の外周側壁面に対して紐体ｔを巻取るその始点を固定する始端固定部３０と、容器本体１０の回動蓋体２０の取付側に配設し、容器本体１０で保持している紐巻体Ｔから繰出された紐体ｔを回動蓋体２０の外周側壁面に対してその周方向に導くガイド部４０と、回動蓋体２０に巻取る紐体ｔの長さを計尺する計測手段として回動蓋体２０の周方向に付され紐体ｔが巻取られる回動蓋体２０の外周側壁面の周長に対応した目盛２２とを具備するものである。
【００７６】
このように本実施の形態の巻紐用ディスペンサ１によれば、巻回された紐体ｔからなる紐巻体Ｔを保持する容器本体１０に対して回動蓋体２０が回動自在に取付けられており、回動蓋体２０の外周側壁面に対して紐体ｔを巻付けるその始点を固定する始端固定部３０が回動蓋体２０に設けられ、更に、容器本体１０で保持している紐巻体Ｔから繰出された紐体ｔを回動蓋体２０の外周側壁面に対してその周方向に導くガイド部４０を容器本体１０の回動蓋体２０の取付側に配設している。
これより、容器本体１０で保持している紐巻体Ｔから引き出した紐体ｔをガイド部４０に導き、また、その始端部を始端固定部３０で固定し、回動蓋体２０を回転させると、容器本体１０で保持している紐巻体Ｔから紐体ｔが繰出され、ガイド部４０によって回動蓋体２０の外周側壁面に導かれて巻取られる。そして、回動蓋体２０の外周側壁面の周長に対応して回動蓋体２０の周囲に付した目盛２２により回動蓋体２０に巻取る紐体ｔの長さを計測する。
【００７７】
こうして、回動蓋体２０の回転操作によって容器本体１０で保持している紐巻体Ｔから回動蓋体２０の外周側壁面に紐体ｔを巻取り、回動蓋体２０の外周側壁面の周長に対応した目盛２２により回動蓋体２０に巻取る紐体ｔの長さを計測するものであるから、任意の紐体ｔの所望長さの供給を可能とし、紐体ｔを回動蓋体２０で巻取っていることでその計測に場所をとることもない。
そして、回動蓋体２０の回転操作のみで容器本体１０で保持している紐巻体Ｔから紐体ｔが繰出されて回動蓋体２０の外周側壁面に巻取られ、回動蓋体２０の周囲に付した目盛２２により巻取る紐体ｔの長さを計測するから、所望とする長さが長くても連続的な回動蓋体２０の回転操作により連続的に紐巻体Ｔから紐体ｔが繰出されて回動蓋体２０の外周側壁面に巻取られ、回動蓋体２０の回転数（目盛２２の周回数）の把握及び目盛２２の読み取りにより回動蓋体２０に巻取った紐体ｔの長さを容易に判断できる。よって、回動の簡単な操作で迅速に所望長さを計測できて段階的に区切ることのない連続的な計測操作を可能とし、計測操作に手数がかからない。
更に、紐巻体Ｔから繰出された紐体ｔは、回動蓋体２０で巻取られることで規則的な巻回状態でまとめられるから、絡まり難く取扱い易い状態で供給できる。
【００７８】
したがって、簡単な操作で巻回された任意の紐体ｔの所望長さの供給を可能とし、かつ、紐体ｔを取扱い易い状態で供給できる。
特に、本実施の形態の巻紐用ディスペンサ１では、回転によって紐体ｔを巻取る回動蓋体２０に、その外周側壁の周長に対応した目盛２２を付して、回動蓋体２０の外周側壁面に巻取る長さを計測するものであり、回動蓋体２０に目盛２２を付していることで目盛２２の位置が回転するものであるから、紐体ｔの回転蓋体２０の入口位置に所望長さに対応する目盛２２を合わせるように回転蓋体２０を回転させることで、紐体ｔの巻取り長さを瞬時に判断しながら所望長さまで巻取りができるから、回転蓋体２０に巻取る所望長さの計測が分かり易い。
【００７９】
しかし、本発明を実施する場合には、回転蓋体２０に巻取る紐体ｔの長さを計測する計測手段としての目盛２２の位置は、回転蓋体２０の蓋面部２０Ａに限定されることなく、側壁部２０Ｂの外周側壁面に設けても良い。また、回転させない容器本体１０側に目盛２２を設けることも可能である。例えば、鍔部１３を形成する垂直部１３Ｂの上面周囲に目盛２２を付して、回動蓋体２０の外周側壁面に巻取る長さを計測するようにしてもよい。この場合には、例えば、紐体ｔの回転蓋体２０の進入位置から時計回りに１ｃｍ、２ｃｍ、・・５０ｃｍと数字を表示し、目盛２２の位置の回転移動がないことから、紐体ｔの始端部が固定されている始端固定部３０の位置を所望長さに対応する目盛２２に合わせるように回動蓋体２０を回転させる。これによっても、所望長さまで巻取りができるから、回転蓋体２０に巻取る所望長さの計測が分かり易い。
【００８０】
また、本実施の形態の巻紐用ディスペンサ１では、容器本体１０の回動蓋体２０が取付られる端部の周囲で鍔部１３が回動蓋体２０の外周側壁側から外方向に突出しているから、鍔部１３での受け止めによって紐体ｔが回動蓋体２０から外れ落ちることもなく、回動蓋体２０の外周側壁面に位置決めされる。よって、確実に紐体ｔが回動蓋体２０に巻付くから、巻取りによる計測作業を円滑に行うことができる。
しかし、本発明を実施する場合には、例えば、回動蓋体２０の外周側壁面をその周方向にねじを切った形状にし、その溝に沿って回動蓋体２０の外周側壁面に巻取る紐体ｔの位置決めを行うようにしてもよい。
【００８１】
そして、本実施の形態の巻紐用ディスペンサ１では、紐体ｔが巻付けられる回動蓋体２０の外周側壁面側から外方向に突出したガイド部４０の側壁部４１において、紐体ｔが通るエッジを円弧状に切り欠いたことから、この円弧状の切り欠きに紐体ｔが導かれるため、側壁部４１の端部のコーナ角で引掛ける恐れがない。よって、紐体ｔのコーナ角への引っ掛かりを解くために位置の矯正が必要となることもなく、円滑に紐体ｔが回動蓋体２０の外周側壁面に対して周方向に導かれて巻取られる。これより、迅速に作業ができ使い勝手がよい。
【００８２】
更に、本実施の形態の巻紐用ディスペンサ１によれば、容器本体１０に配設し、紐巻体Ｔから繰出され紐体ｔを切断する切断刃５０を有するから、鋏等を用意しなくとも所定長さの紐体ｔを切断刃に導くことで切断でき、便利である。
加えて、本実施の形態の巻紐用ディスペンサ１によれば、回動蓋体２０に対して指を掛止自在とする掛止手段として指が挿入される開口部２１を回動蓋体２０に設けたことから、開口部２１に指を挿入してその周縁に指を掛止できるから、回動蓋体２０を回転させやすい。よって、取扱性がよくて使い勝手が良い。
【００８３】
ここで、上記実施の形態の巻紐用ディスペンサ１では、容器本体１０の側壁部１２は筒状に閉じられた構造であり、また、容器本体１０に対して回動自在に取付けられる回動蓋体２０の上面に開口部２１を有する蓋面部２０Ａを形成しており、容器本体１０及び回動蓋体２０による閉じられた空間に紐巻体Ｔを収容する構成としている。このため、回動蓋体２０は容器本体１０に対して着脱自在に構成され、回動蓋体２０と容器本体１０が分離自在であり、回動蓋体２０を容器本体１０から取り外した状態で容器本体１０の中に紐巻体Ｔを収容する構造である。
【００８４】
しかし、本発明を実施する場合には、上記実施の形態のように閉じられた空間に紐巻体Ｔを収容する構成に限定されず、側壁部１２の一部が開口していてもよいし、回動蓋体２０の上方が開口していてもよく、容器本体１０に対して回動蓋体２０が回動自在であれば、容器本体１０及び回動蓋体２０を一体に形成し、側壁部１２や回動蓋体２０の開口から紐巻体Ｔを入れる構造としてもよい。
更に、容器本体１０の構造は、回動蓋体２０を回動自在に支持し、かつ、紐巻体Ｔの転がりを防止できれば、容器状の構造に限定されず、例えば、容器本体１０が紐巻体Ｔを軸支する構造としてもよい。
そして、容器本体１０及び回動蓋体２０の素材も特に限定されず、例えば、プラスチックや金属等で形成される。
【００８５】
また、上記実施の形態の巻紐用ディスペンサ１では、回動蓋体２０の外周側壁面の周長に対応した目盛２２を回動蓋体２０に付すことで目盛２２の読み取りにより回動蓋体２０に巻取る紐体ｔの長さを計測するものであるが、本発明を実施する場合には、更に、回動蓋体２０の回転数を計測する計測手段を設け、回動蓋体２０の周回数を表示したり回動蓋体２０の周回毎に音を鳴らしたりする等によって回動蓋体２０の回転数を把握できるようにしてもよい。そして、上記実施の形態では、回動蓋体２０に巻取る紐体ｔの長さを計測する手段として目盛２２を採用しているが、その他にも、回動蓋体２０の回転距離を計測する手段を設けその回転距離をデジタルカウンタに入力することで紐体ｔの回動蓋体２０に巻取る長さの計測としてもよいし、紐巻体Ｔから繰出された紐体ｔに当接する回転ローラを設け紐体ｔの移動によって回転する回転ローラの回転距離の計測によって回動蓋体２０に巻取る紐体ｔの長さの計測としてもよい。
しかし、上記実施の形態のように容器本体１０側または回動蓋体２０側に回動蓋体２０の外周側壁面の周長に対応した目盛２２を付すことによって回動蓋体２０に巻取る紐体ｔの長さを計測するものでは、少ない部品数、かつ、簡単な機構で回動蓋体２０の外周側壁面に巻取る長さを計測できる。よって、部品数が少なくて済むことから低コストで、しかも正確な計測が可能である。
【００８６】
更に、上記実施の形態の巻紐用ディスペンサ１では、取付孔１５の位置から左方向でガイド部４０の円弧状に切り欠いたエッジによって紐体ｔを回動蓋体２０の外周側壁面に対して時計回りの方向で導き、回動蓋体２０の時計回りの回転によって回動蓋体２０の外周側壁面に対して時計回りの方向で紐体ｔを巻取る構造としているが、本発明を実施する場合には、反時計回りの方向で回動蓋体２０の外周側壁面に巻取る構造としてもよい。また、回動蓋体２０の回転操作の方向を分かり易くするために、ラチェット機構により回動蓋体２０を特定方向のみに回転させる構造としてもよい。更に、回動蓋体２０に回転レバー６０等のハンドルを設け、ハンドルの回転操作により回動蓋体２０の回転を行う構造としてもよい。
【００８７】
図８は、回動蓋体２０の中心に回転レバー６０の軸６２を接合し、回転レバー６０の回転で計測を行うものである。この実施の形態の場合には、半径方向に延びるアーム６１の距離によって回転力が任意に設定できる。
図８に示す斜視図は、図７に相当する実施の形態であり、相違する構成は、回転レバー６０の軸６２を回動蓋体２０の中心に接着した構造にあり、他の構成は相違することはない。
【００８８】
上記実施の形態の巻紐用ディスペンサ１の紐体ｔが巻回されてなる紐巻体Ｔを保持する容器本体１０は、紐巻体Ｔから紐体ｔを繰り出せればよいことから、容器本体１０のように全体を覆う必要はない。しかし、巻紐用ディスペンサ１から離脱しないようにするには、全体を覆うことが望ましい。また、全体を覆わない場合には、ガイドパイプ４４を配設している取出孔１５の位置を確保する必要がある。即ち、取出孔１５の位置は紐巻体Ｔの中心位置またはそれ以上に高い位置とするのが、紐体ｔに、他の部分に力が加わらないので望ましい。
また、容器本体１０に対して回動自在に取付けられ、回転によって容器本体１０で保持している紐巻体Ｔから繰出された紐体ｔが巻付けられる回動蓋体２０は、ボビンとして機能する構造体であり、回動蓋体２０の外周には糸巻きの構造を有するものであればよい。但し、回動蓋体２０は、容器本体１０の上面を回動するものであるから、係合した後には、離脱を防止するのが望ましい。
【００８９】
回動蓋体２０の外周側壁面に設けた容器本体１０で保持している紐巻体Ｔから引出した紐体ｔの始端を固定する始端固定部３０は、紐体ｔの始端を固定する能力があればよいから、Ｖ字溝、クリップ等の機能をそのまま使用できる。
また、容器本体１０の回動蓋体２０の取付側に配設し、容器本体１０で保持している紐巻体Ｔから繰出された紐体ｔを回動蓋体２０の外周側壁面に対してその周方向に導くガイド部４０は、径方向に延びる側壁部４１を形成し、紐体ｔが通る開口４２を形成し、紐体ｔの摩擦を小さくしている。したがって、ガイド部４０は紐体ｔを案内するようにガイド孔とすることもできる。
そして、容器本体１０側または回動蓋体２０側に付されたその外周側壁面の周長に対応する目盛２２は、紐体ｔが回動蓋体２０に巻付く長さを明確にできるものであればよい。
【符号の説明】
【００９０】
１    巻紐用ディスペンサ
１０  容器本体
１３  鍔部
２０  回動蓋体
２２  目盛
３０  始端固定部
４０  ガイド部
５０  切断刃
６０  回転レバー
Ｔ    紐巻体
ｔ    紐体
【図１】
2018150128.tif 000003
【図２】
2018150128.tif 000004
【図３】
2018150128.tif 000005
【図４】
2018150128.tif 000006
【図５】
2018150128.tif 000007
【図６】
2018150128.tif 000008
【図７】
2018150128.tif 000009
【図８】
2018150128.tif 000010